(57)【特許請求の範囲】
【請求項１】
テレビ放送電波を受信して出力する機能と受信した放送内容を逐次録画して再生出力する機能を備えたテレビ受信装置であって、
現在放送中の受信内容の録画動作中に録画内容の再生が指示された際に、この録画動作を継続しながら、当該録画動作を開始してから当該録画内容の再生が指示されるまでの時間が、所定の時間以下の場合に通常の再生速度で当該録画内容を再生出力し、当該所定の時間よりも長い場合に当該通常の再生速度よりも早い再生速度で当該録画内容を再生出力する追っかけ再生手段と、
この追っかけ再生手段による再生動作中に追っかけ再生の映像を表示していることを案内表示する案内手段と、
を具備したことを特徴とするテレビ受信装置。
【請求項２】
前記案内手段は、テレビ画面に表示されている映像が、現在放送中の受信映像であるか、追っかけ再生動作中の再生映像であるかをテレビ画面上で識別表示する、
ようにしたことを特徴とする請求項１記載のテレビ受信装置。
【請求項３】
前記案内手段は、テレビ画面に表示されている映像が、録画完了後の再生時に出力された再生映像であるか、追っかけ再生動作中に出力された再生映像であるかをテレビ画面上で識別表示する、
ようにしたことを特徴とする請求項１記載のテレビ受信装置。
【請求項４】
現在の放送内容を受信出力している状態での出力中断の割り込み指示に応答してそれ以降の受信内容を逐次録画する動作を開始させたのち、この割り込み解除の指示に応答して録画内容の再生動作を開始させた際に、前記案内手段は、追っかけ再生の映像を表示していることを案内表示する、
ようにしたことを特徴とする請求項１記載のテレビ受信装置。
【請求項５】
追っかけ再生の動作中に現在の録画位置と再生位置とを比較して当該再生位置が録画位置に追いついたか否かを判別する判別手段を設け、
この判別手段によって再生位置が録画位置に追いついたと判別された際に、追っかけ再生の映像を表示していることの案内表示を解除する、
ようにしたことを特徴とする請求項１記載のテレビ受信装置。
【請求項６】
前記判別手段によって再生位置が録画位置に追いついたと判別された際に、録画動作を停止すると共に、録画内容を再生出力する状態から現在放送中の受信映像を出力する状態に切り替える、
ようにしたことを特徴とする請求項５記載のテレビ受信装置。
【請求項７】
テレビ放送電波を受信して出力する機能と受信した放送内容を逐次録画して再生出力する機能を備えたテレビ受信装置であって、
現在放送中の受信内容の録画動作中に録画内容の再生を指示された際に、この録画動作を継続しながら、当該録画動作を開始してから当該録画内容の再生が指示されるまでの時間が、所定の時間以下の場合に通常の再生速度で当該録画内容を再生出力し、当該所定の時間よりも長い場合に当該通常の再生速度よりも早い再生速度で当該録画内容を再生出力する追っかけ再生手段と、
この追っかけ再生手段による再生動作中に、現在の再生映像と録画動作中の受信映像との時間差を求めて案内表示する案内手段と、
を具備したことを特徴とするテレビ受信装置。
【請求項８】
録画動作を継続しながら録画内容を再生出力する追っかけ再生時に、現在の録画位置と再生位置とを検出する検出手段を設け、
前記案内手段は、前記検出された録画位置と再生位置との位置差から前記時間差を求めて案内表示する、
ようにしたことを特徴とする請求項７記載のテレビ受信装置。
【請求項９】
受信した放送内容を一時記録保持する録画メモリにその容量分の放送内容を順次書き込んだのち、この録画メモリの内容を順次更新しながら当該容量分の最新の放送内容を録画メモリに記録保持させる、
ようにしたことを特徴とする請求項７記載のテレビ受信装置。
【請求項１０】
前記案内手段は、現在の追っかけ再生映像と録画動作中の受信映像との時間差が所定値以下であることを条件に、当該時間差を案内表示する、
ようにしたことを特徴とする請求項７記載のテレビ受信装置。
【請求項１１】
コンピュータに対して、
現在放送中の受信内容の録画動作中に録画内容の再生が指示された際に、この録画動作を継続しながら、当該録画動作を開始してから当該録画内容の再生が指示されるまでの時間が、所定の時間以下の場合に通常の再生速度で当該録画内容を再生出力し、当該所定の時間よりも長い場合に当該通常の再生速度よりも早い再生速度で当該録画内容を再生出力する追っかけ再生機能と、
この追っかけ再生の動作中に追っかけ再生の映像を表示していることを案内表示する機能と、
を実現させるためのプログラム。
【請求項１２】
コンピュータに対して、
現在放送中の受信内容の録画動作中に録画内容の再生が指示された際に、この録画動作を継続しながら、当該録画動作を開始してから当該録画内容の再生が指示されるまでの時間が、所定の時間以下の場合に通常の再生速度で当該録画内容を再生出力し、当該所定の時間よりも長い場合に当該通常の再生速度よりも早い再生速度で当該録画内容を再生出力する追っかけ再生機能と、
この追っかけ再生の動作中に、現在の再生映像と録画動作中の受信映像との時間差を求めて案内表示する機能と、
を実現させるためのプログラム。
【発明の詳細な説明】
【技術分野】
【０００１】
この発明は、テレビ放送電波を受信して出力する機能と受信した放送内容を逐次録画して再生出力する機能を備えたテレビ受信装置及びプログラムに関し、特に、受信内容の録画を継続しながら当該録画内容を並行的に再生出力する機能（追っかけ再生機能）を備えたテレビ受信装置及びプログラムに関する。
【背景技術】
【０００２】
従来、テレビ放送を受信して出力するテレビ受信装置には、テレビ放送を受信して録画する録画機能が備えられており、テレビ視聴中に電話着信を受けた際に、この放送内容の録画を開始し、通話終了後に録画動作を継続しつつ録画内容をその開始位置から順次再生出力させる機能、いわゆる追っかけ再生機能を備えたテレビジョン受像装置が知られている（特許文献１参照）。
【特許文献１】特開２００２−２４７４９０号公報
【発明の開示】
【発明が解決しようとする課題】
【０００３】
ところで、深夜放送されたテレビ番組を予約録画しておいて朝方視聴しているような場合には、テレビ画面の映像が現在放送中のリアルタイム映像ではあると錯覚することは、ほとんどないと思われるが、テレビ画面に追っかけ再生の映像が表示されている場合には、その映像をリアルタイム映像であると錯覚するおそれが高く、延々と追っかけ再生の状態のままとする可能性があった。例えば、現在放送中の番組をリアルタイム視聴しているときに、電話着信が有ると、自動録画に切り替わるが、その数分後に通話が終了した際には、追っかけ再生が開始されるためテレビ画面には数分遅れの映像が表示されるが、電話着信時にテレビ画面から注意が離れ、通話終了後にテレビ画面に注意が向いたとしても、テレビ画面の映像は、数分遅れの映像であるため現在放送中の番組をリアルタイム映像であると錯覚し、延々と追っかけ再生を見続けてしまう可能性があった。
【０００４】
このような追っかけ再生時には、早送り再生によって数分間の遅れを取り戻したのちは、リアルタイム映像に切り替えたほうが好ましいが、追っかけ再生のままにしていると、無意味な録画・再生処理を延々と続けることになり、電池を電源とするものでは、直ぐに電池切れを起こしてしまう。また、数分間の遅れ程度であればよいが、それ以上の遅れであれば、引き続いて他のチャンネル番組の視聴を予定しているような場合、その開始時刻に間に合わず、その一部を見逃してしまうことにもなる。また、現在の番組をその最後まで視聴した後に外出などの予定がある場合に、追っかけ再生が２０分、３０分のように、大きく遅れていると、番組を視聴し終わったときには予定時刻を大きく過ぎてしまっており、遅刻などの問題を起こすおそれがあった。
【０００５】
第1の発明の課題は、追っかけ再生の映像と現在放送中のリアルタイム映像との区別を案内できるようにすることである。
第２の発明の課題は、追っかけ再生の映像と現在放送中のリアルタイム映像との時間的な遅れを案内できるようにすることである。
【課題を解決するための手段】
【０００６】
請求項１記載の発明（第１の発明）は、テレビ放送電波を受信して出力する機能と受信した放送内容を逐次録画して再生出力する機能を備えたテレビ受信装置であって、現在放送中の受信内容の録画動作中に録画内容の再生指示がされた際に、この録画動作を継続しながら、当該録画動作を開始してから当該録画内容の再生が指示されるまでの時間が、所定の時間以下の場合に通常の再生速度で当該録画内容を再生出力し、当該所定の時間よりも長い場合に当該通常の再生速度よりも早い再生速度で当該録画内容を再生出力する追っかけ再生手段と、この追っかけ再生手段による再生動作中に追っかけ再生の映像を表示していることを案内表示する案内手段とを具備したことを特徴とする。
更に、コンピュータに対して、上述した請求項１記載の発明に示した主要機能を実現させるためのプログラムを提供する（請求項１１記載の発明）。
【０００７】
なお、請求項１記載の発明は次ぎのようなものであってもよい。
前記案内手段は、テレビ画面に表示されている映像が、現在放送中の受信映像であるか、追っかけ再生動作中の再生映像であるかをテレビ画面上で識別表示する（請求項２記載の発明）。
【０００８】
前記案内手段は、テレビ画面に表示されている映像が、録画完了後の再生時に出力された再生映像であるか、追っかけ再生動作中に出力された再生映像であるかをテレビ画面上で識別表示する（請求項３記載の発明）。
【０００９】
現在の放送内容を受信出力している状態での出力中断の割り込み指示に応答してそれ以降の受信内容を逐次録画する動作を開始させたのち、この割り込み解除の指示に応答して録画内容の再生動作を開始させた際に、前記案内手段は、追っかけ再生の映像を表示していることを案内表示する（請求項４記載の発明）。
【００１０】
追っかけ再生の動作中に現在の録画位置と再生位置とを比較して当該再生位置が録画位置に追いついたか否かを判別する判別手段を設け、この判別手段によって再生位置が録画位置に追いついたと判別された際に、追っかけ再生の映像を表示していることの案内表示を解除する（請求項５記載の発明）。
この場合、前記判別手段によって再生位置が録画位置に追いついたと判別された際に、録画動作を停止すると共に、録画内容を再生出力する状態から現在放送中の受信映像を出力する状態に切り替えるようにしてもよい（請求項６記載の発明）。
【００１１】
請求項７記載の発明（第２の発明）は、テレビ放送電波を受信して出力する機能と受信した放送内容を逐次録画して再生出力する機能を備えたテレビ受信装置であって、現在放送中の受信内容の録画動作中に録画内容の再生が指示された際に、この録画動作を継続しながら、当該録画動作を開始してから当該録画内容の再生が指示されるまでの時間が、所定の時間以下の場合に通常の再生速度で当該録画内容を再生出力し、当該所定の時間よりも長い場合に当該通常の再生速度よりも早い再生速度で当該録画内容を再生出力する追っかけ再生手段と、この追っかけ再生手段による再生動作中に、現在の再生映像と録画動作中の受信映像との時間差を求めて案内表示する案内手段とを具備したことを特徴とする。
更に、コンピュータに対して、上述した請求項７記載の発明に示した主要機能を実現させるためのプログラムを提供する（請求項１２記載の発明）。
【００１２】
なお、請求項７記載の発明は次ぎのようなものであってもよい。
録画動作を継続しながら録画内容を再生出力する追っかけ再生時に、現在の録画位置と再生位置とを検出する検出手段を設け、前記案内手段は、前記検出された録画位置と再生位置との位置差から前記時間差を求めて案内表示する（請求項８記載の発明）。
【００１３】
受信した放送内容を一時記録保持する録画メモリにその容量分の放送内容を順次書き込んだのち、この録画メモリの内容を順次更新しながら当該容量分の最新の放送内容を録画メモリに記録保持させる（請求項９記載の発明）。
【００１４】
前記案内手段は、現在の追っかけ再生映像と録画動作中の受信映像との時間差が所定値以下であることを条件に、当該時間差を案内表示する（請求項１０記載の発明）。
【発明の効果】
【００１５】
請求項１記載の発明（第１の発明）によれば、現在放送中の受信内容の録画動作中に録画内容の再生が指示された際に、この録画動作を継続しながら当該録画内容を再生出力する追っかけ再生を開始し、この追っかけ再生の動作中に追っかけ再生の映像を表示していることを案内表示するようにしたから、視聴者にあっては、追っかけ再生の映像が表示されていることを知ることができ、早送り再生などの素早い対応が可能となり、追っかけ再生を延々と続けてしまうことによる様々な不都合を効果的に解消することができる。
【００１６】
請求項２記載の発明によれば、上述した請求項１記載の発明と同様の効果を有するほか、テレビ画面に表示されている映像が、現在放送中の受信映像であるか、追っかけ再生動作中の再生映像であるかをテレビ画面上で識別表示するようにしたから、追っかけ再生の映像と現在放送中のリアルタイム映像とを直ちに区別することが可能となる。
なお、追っかけ再生動作中には追っかけ再生映像であることを示すアイコンを表示し、リアルタイム映像の表示時には当該アイコン表示を消去することによって識別表示するようにしてもよい。
【００１７】
請求項３記載の発明によれば、上述した請求項１記載の発明と同様の効果を有するほか、テレビ画面に表示されている映像が、録画完了後の再生時に出力された再生映像であるか、追っかけ再生動作中に出力された再生映像であるかをテレビ画面上で識別表示するようにしたから、追っかけ再生中の映像と録画完了後の映像とを直ちに区別することが可能となる。
【００１８】
請求項４記載の発明によれば、上述した請求項１記載の発明と同様の効果を有するほか、現在の放送内容を受信出力している状態での出力中断の割り込み指示に応答してそれ以降の受信内容を逐次録画する動作を開始させたのち、この割り込み解除の指示に応答して録画内容の再生動作を開始させた際に、追っかけ再生の映像を表示していることを案内表示するようにしたから、出力中断に伴って非常用として録画された追っかけ再生の映像であることを知らせることができる。
【００１９】
請求項５記載の発明によれば、上述した請求項１記載の発明と同様の効果を有するほか、追っかけ再生の動作中に現在の録画位置と再生位置とを比較して再生位置が録画位置に追いついた際に、追っかけ再生の映像を表示していることの案内表示を解除するようにしたから、現在放送中のリアルタイム映像に追いついた状態を知らせることができる。
この場合、再生位置が録画位置に追いついたと判別された際に、録画動作を停止すると共に、録画内容を再生出力する状態から現在放送中の受信映像を出力する状態に切り替えるようにしたから（請求項６記載の発明）、無意味な録画を防ぐことができ、無駄な電力消費を抑えることが可能となるほか、現在放送中の映像出力にスムーズに移行することができる。
【００２０】
請求項７記載の発明（第２の発明）によれば、現在放送中の受信内容の録画中に録画内容の再生が指示された際に、この録画動作を継続しながら当該録画内容を再生出力する追っかけ再生を開始し、この追っかけ再生の動作中における現在の再生映像と録画動作中の受信映像との時間差を求めて案内表示するようにしたから、追っかけ再生の映像と現在放送中のリアルタイム映像との時間的な遅れを知ることができ、リアルタイム映像に追いつくには、どの位の時間を要するか、どの位のスピードで早送りすればよいかを知ることができる。
【００２１】
請求項８記載の発明によれば、上述した請求項７記載の発明と同様の効果を有するほか、録画動作を継続しながら録画内容を再生出力する追っかけ再生時に、現在の録画位置と再生位置とを検出すると共に、この録画位置と再生位置との位置差から時間差を求めて案内表示するようにしたから、位置管理から容易に時間差を得ることができる。
【００２２】
請求項９記載の発明によれば、上述した請求項７記載の発明と同様の効果を有するほか、受信した放送内容を一時記録保持する録画メモリにその容量分の放送内容を順次書き込んだのち、この録画メモリの内容を順次更新しながら当該容量分の最新の放送内容を録画メモリに記録保持させるようにしたから、１番組の全てを録画する必要はなく、エンドレス形式での録画が可能となるため、この録画メモリは小容量で足る。
【００２３】
請求項１０記載の発明によれば、上述した請求項７記載の発明と同様の効果を有するほか、現在の追っかけ再生映像と録画動作中の受信映像との時間差が所定値以下であることを条件に、当該時間差を案内表示するようにしたから、この案内表示によって追っかけ再生映像と現在放送中のリアルタイム映像とが時間的に近いことを知ることができ、必要に応じて早送り再生を指示したり、リアルタイム映像へのジャンプを指示したりすることができる。
【発明を実施するための最良の形態】
【００２４】
以下、図１〜図７を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、２つの筐体（上部筐体、下部筐体）が開閉可能に取り付けられた折り畳み自在なもので、二次電池を主電源として駆動され、通話機能、電子メール機能、インターネット接続機能などのほか、テレビ放送電波を受信して出力するテレビ機能と、このテレビ機能によって受信したテレビ放送を逐次録画する録画機能と、この録画機能によって録画された内容を再生出力する再生機能を備えている。
【００２５】
ＣＰＵ１は、記憶部２内の各種のプログラムに応じてこの携帯電話装置の全体動作を制御する中央演算処理装置である。記憶部２は、不揮発性メモリ(内部メモリ)であり、例えば、フラッシュメモリなどによって構成され、プログラム領域とデータ領域とを有し、このプログラム領域には、後述する図６及び図７に示す動作手順に応じて本実施例を実現するためのプログラムが格納されている。記録メディア３は、着脱自在な可搬型メモリで、撮影画像データ、各種のデータ、プログラムを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００２６】
電話通信部５は、アンテナ６に接続された送受信デュプレクサの受信側から信号を取り込んで受信ベースバンド信号に復調したのちに、音声データを音声スピーカ７から出力させる。また、電話通信部５は、音声マイク８から入力された音声データを送信ベースバンド信号に符号化したのちに、送受信デュプレクサの送信側に与えられ、アンテナ６から発信出力させる。一方、電子メール機能、インターネット接続によって電話通信部５を介して受信した表示データは、ＬＣＤ（液晶表示器）などのメイン表示部９に与えられて表示出力される。メイン表示部９は、文字情報、テレビ映像、各種のメッセージなどを高品位に表示するもので、図２は、折り畳み式の装置本体を開いた状態において、メイン表示部９にテレビ映像が表示されたテレビ画面の表示例を示している。このメイン表示部９のほか、装置本体の背面部にはサブ表示部１０が設けられており、現在日時、簡易なメッセージ、アイコンなどが表示される。
【００２７】
テレビ受信部１１は、ＴＶアンテナ１２を備え、携帯電話などの携帯受信機向けの地上波デジタルテレビ放送を受信するもので、テレビ映像及び音声情報以外にも電子番組表(ＥＰＧ)なども含めて受信可能である。テレビ受信部１１は、専用ＣＰＵ、ＴＶアンテナ１２に接続されている受信部と、受信したテレビ放送を映像信号、音声信号に分離分離する増幅分離部と、圧縮データを解凍するデコード部などを有する構成となっており、このテレビ受信部１１から出力されたテレビ映像信号は、メイン表示部９から表示出力され、また、テレビ音声信号は、内蔵スピーカ１３あるいはイヤホーン１４から出力される。
【００２８】
キー操作部１５は、押しボタン式の各種のキーを備え、ダイヤル入力、文字入力、コマンド入力などを行うもので、テレビ機能用としてテレビＯＮ／ＯＦＦキー、チャンネル切り替えキーのほか、受信した放送内容を逐次出力する「受信出力モード（通常モード）」と録画内容を再生する「再生出力モード」とをユーザ操作に応じて任意に切り替えるモード切り替えキー、テレビ放送の録画（録音を含む）を指示する録画開始キー、録画内容の再生を指示する再生キー、再生の一時停止を指示する一時停止キー（クリアキー）、早送り再生を指示する早送りキー、再生終了を指示する終了キーなどを有している。なお、テレビ機能用の各キーは、メイン表示部９の画面上に配置したタッチキーであってもよい。ＣＰＵ１は、キー操作部１５からのキー入力信号に応じた処理を実行する。報知部１６は、上述した内蔵スピーカ１３を含めて、ＬＥＤ(発光ダイオード)、振動モータを有する構成で、電話・メール着信時には着信報知を行うほか、警告アラームなどの報知時にも駆動される。
【００２９】
図３は、追っかけ再生を説明するための図である。
テレビ受信部１１の動作中においてＣＰＵ１は、受信した放送内容を逐次出力している状態で電話着信などによってその出力の中断が割り込み指示された際に（Ｔ１）、この中断指示に応答してそれ以降の受信内容を逐次録画する動作を開始させる。その後、通話終了などによって割り込み解除（割り込み終了）が指示された際に（Ｔ２）、この録画動作を継続しながら録画内容を並行的に再生出力する追っかけ再生動作を開始する。この追っかけ再生は、録画動作を継続しながら録画内容を再生出力する動作を並行的に行うもので、単一のＣＰＵによって録画動作と再生動作とを時分割に並行処理するようにしてもよいが、録画用のＣＰＵと再生用のＣＰＵを設け、これらの専用ＣＰＵで録画動作と再生動作とを並行的に実行するようにしてもよい。
【００３０】
図４は、追っかけ再生用として使用される一時録画メモリ４Ａを説明するための図である。
一時録画メモリ４Ａは、メモリ４に設けられたもので、受信した放送内容を１０分間記憶可能な記憶容量を有している。ＣＰＵ１は、現在の書き込みアドレスを示す録画位置を更新しながら現在放送中の番組内容を一時録画メモリ４Ａに映像データ及び音声データを記録すると共に、現在の読み出しアドレスを示す再生位置を更新しながら録画メモリ４Ａから録画内容を読み出して再生出力（映像出力、音声出力）させる。この場合、ＣＰＵ１は、録画位置／再生位置が一時録画メモリ４Ａの終端位置に達した際に、録画位置／再生位置を一時録画メモリ４Ａの先頭位置に戻しながらエンドレス形式で録画／再生動作を実行するようにしている。なお、テレビ放送を録画する場合、大容量の半導体メモリあるいは小型ハードディスクなどの記録メディア３が外部接続されていれば、この記録メディア３に対して行うようにしてもよい。
【００３１】
図５は、追っかけ再生動作中のテレビ画面（再生画面）を示した図である。
ＣＰＵ１は、テレビ画面に表示されている映像が現在放送中の受信映像（リアルタイム映像）であるか、追っかけ再生動作中の再生映像であるかをテレビ画面上で識別表示するために、追っかけ再生動作中には、追っかけ再生であることを示す追っかけアイコンＲＮを表示出力させる。この追っかけアイコンＲＮは、ランニングイメージのアイコンであるが、このランニングイメージをアニメーション化したものであってもよい。また、ＣＰＵ1は、現在の録画位置と再生位置を検出しながら録画位置と再生位置とを比較して録画位置と再生位置との差分（位置差）を求め、この位置差に基づいて現在の追っかけ再生映像と現在放送中の受信映像（リアルタイム画像）との時間差を求めて案内表示させるようにしている。すなわち、時間差バーＴＢは、追っかけ再生映像とリアルタイム画像との時間差をスケール表示したもので、この時間差バーＴＢの下側には、具体的な時間差が数値表示される。なお、図示の例では、追っかけ再生映像はリアルタイム画像に対して「４５秒」遅れていることを示している。
【００３２】
次ぎに、この実施例における携帯電話装置の動作概念を図６及び図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３３】
図６及び図７は、テレビ受信部１１の起動に伴って実行開始されるテレビ処理を示したフローチャートである。
先ず、ＣＰＵ１は、チャンネル選択用のキーの操作によって所望するチャンネルが選択指定されると（図６のステップＳ１）、テレビ受信部１１から指定チャンネルの放送番組の内容を受信する受信動作を開始すると共に（ステップＳ２）、受信した放送内容を逐次出力させる出力動作を開始させる（ステップＳ３）。このような「受信出力モード」において、受信した映像データは、メイン表示部９に順次表示され、音声データは内蔵スピーカ１３あるいはイヤーホーン１４から順次出力される。
【００３４】
このようにテレビ番組を視聴している状態において、ＣＰＵ１は、現在受信中のテレビ放送番組の出力を一時的に中断させる割り込み指示が有るかをチェックする（ステップＳ４）。すなわち、電話着信に伴ってテレビ放送の出力を一時的に中断させる割り込み指示の有無をチェックしたり、ユーザ操作によってテレビ放送の出力を任意のタイミングで一時的に中断させる割り込み指示の有無をチェックする。このような着信割り込み／任意割り込みが無ければ（ステップＳ４でＮＯ）、その他のキー操作有無をチェックする（ステップＳ５）。以下、割り込み指示あるいはキー操作が有るまで待機状態となる。
【００３５】
いま、上述のステップＳ５でキー操作有りが検出された場合に、例えば、音量調整操作、輝度調整操作などのキー操作が行われた場合には、この操作キーに対応した処理（例えば、録画開始、音量調整などの処理）を実行したのち（ステップＳ７）、上述したステップＳ５に戻るが、モード切り替えキーが操作されて「受信出力モード」から「再生モード」に切り替えられた場合には（ステップＳ６でＹＥＳ）、テレビ放送の受信動作を停止させる（ステップＳ８）。そして、現時点まで録画生成されてメモリ４などで記憶管理されている録画ファイルを一覧表示させる（ステップＳ９）。この場合、ファイル名が一覧表示され、この一覧画面の中から所望するファイルが選択指定されると（ステップＳ１０）、選択ファイルの先頭位置から再生動作を開始させる（ステップＳ１１）。いま、「受信出力モード」から「再生モード」への切り替えに伴う再生であるから、この再生画面にはノーマル再生であることを示すアイコン（図示せず）が案内表示される（ステップＳ１２）。
【００３６】
この状態において、キー操作有無をチェックしながら（ステップＳ１３）、再生位置が録画ファイルの終了位置に達したかをチェックする（ステップＳ１４）。いま、何らかのキー操作が行われた場合、再生終了を指示する終了キー以外であれば（ステップＳ１５でＮＯ）、操作キー対応の処理に移るが（ステップＳ１９）、再生終了キーが操作された場合には（ステップＳ１５でＹＥＳ）、この時点で再生動作を停止させる（ステップＳ１６）。そして、「再生モード」を解除して「受信出力モード」に復帰させると共に（ステップＳ１７）、上述したノーマル再生を示すアイコン表示を消去したのち（ステップＳ１８）、上述のステップＳ４に戻り、再生画面に代えて現在放送中のテレビ画面に切り替わる。また、再生位置が録画ファイルの終了位置に達した場合には（ステップＳ１４でＹＥＳ）、録画ファイル一覧画面に戻る（ステップＳ９）、以下、上述の動作が繰り返される。
【００３７】
一方、ＣＰＵ１は、現在受信中のテレビ放送番組の出力を一時的に中断させる着信割り込み、あるいは任意割り込みを検出すると（ステップＳ４でＹＥＳ）、この割り込み検出に応答してそれ以降の受信内容を一時録画メモリ４Ａの先頭位置から逐次書き込む録画動作を開始させると共に（ステップＳ２０）、受信した放送内容の出力を一時停止、すなわち、メイン表示部９からの映像表示及び内蔵スピーカ１３あるいはイヤーホーン１４からの音声出力を一時停止させる（ステップＳ２１）。
【００３８】
そして、受信内容の出力を一時停止している状態であることを示す割り込み画面（図示せず）をテレビ画面に代えて表示出力させたのち（ステップＳ２２）、この出力中断の割り込みが解除されるまで待機状態となる（ステップＳ２３）。ここで、ＣＰＵ１は、通話終了（回線切断）を検出したり、出力中断の終了操作を検出すると、つまり、出力中断の割り込みが解除されると（ステップＳ２３でＹＥＳ）、「再生モード」に切り替える（ステップＳ２４）。この「再生モード」では録画メモリ４Ａの先頭位置から再生動作を開始させると共に（ステップＳ２５）、図５で示した追っかけ再生アイコンＲＮを案内表示させる（ステップＳ２６）。
【００３９】
次ぎに、図７のステップＳ２７に移り、ＣＰＵ１は、録画位置及び再生位置を検出してそれらの位置差を算出すると共に、この位置差に基づいて現在の追っかけ再生映像と現在放送中の受信映像（リアルタイム画像）との時間差を求め、２０秒以下であるかをチェックし（ステップＳ２８）、２０秒以下であることを条件に、図５で示した時間差バーＴＢを案内表示させると共に、その下側に具体的な時間差を数値表示させる（ステップＳ２９）。この状態において、キー操作有無をチェックしたり（ステップＳ３０）、追っかけ再生映像が現在放送中のリアルタイム画像に追いついたか、つまり、位置差（時間差）は“０”かをチェックしたり（ステップＳ３１）、録画位置が一時録画メモリ４Ａの終端位置に達したかをチェックしながら（ステップＳ３２）、上述のステップＳ２７に戻り、以下、上述の動作を繰り返す。
【００４０】
ここで、早送り再生キーが操作されたか（ステップＳ３３）、ノーマル再生キーが操作されたか（ステップＳ３４）、再生停止キーが操作されたかをチェックする（ステップＳ３５）。いま、ノーマル再生キーが操作されると（ステップＳ３４でＹＥＳ）、ノーマルスピード（録画速度と略同一の速度）での再生動作を開始させるが（ステップＳ３８）、早送りキーが操作されると（ステップＳ３３でＹＥＳ）、例えば、ノーマルスピード×1.3倍の速度での早送り再生を開始させ（ステップＳ３７）、再生停止キーが操作されると、再生動作を停止させ（ステップＳ３９）、その他のキーが操作された場合には（ステップＳでＮＯ）、操作キー対応の処理を行う（ステップＳ３６）。
【００４１】
ＣＰＵ1は、現在の録画位置を検出し、図４に示すように追っかけ再生の動作中に録画位置が一時録画メモリ４Ａの終端位置に達した場合には（ステップＳ３２でＹＥＳ）、録画位置を一時録画メモリ４Ａの先頭位置に戻したのち（ステップＳ３３）、再生位置と録画位置との差分を算出するステップＳ２７に戻る。なお、再生位置が一時録画メモリ４Ａの終端位置に達した場合も、この再生位置を一時録画メモリ４Ａの先頭位置に戻すようにしている。また、追っかけ再生映像とリアルタイム画像との差分（位置差）が“０”となって追っかけ再生映像が現在放送中のリアルタイム画像に追いついた場合には（ステップＳ３１でＹＥＳ）、この時点で再生動作を停止させると共に（ステップＳ４０）、「再生モード」を解除する（ステップＳ４１）。そして、追っかけ再生アイコンＲＮ及び時間差バーＴＢを消灯したのち（ステップＳ４２）、最初のステップＳ１に戻る。
【００４２】
以上のように、この実施例においてＣＰＵ１は、テレビ受信部１１で受信した放送内容を録画メモリ４Ａに書き込んでいる録画動作中に録画内容の再生が指示された際に、この録画動作を継続しながら当該録画内容を再生出力する追っかけ再生を開始し、この追っかけ再生の動作中に追っかけ再生の映像を表示していることを示す追っかけ再生アイコンＲＮを案内表示するようにしたから、テレビ画面に表示されている映像が、現在放送中の受信映像であるか、追っかけ再生動作中の再生映像であるかをテレビ画面上で識別表示することができ、追っかけ再生の映像と現在放送中のリアルタイム映像とを直ちに区別することが可能となり、視聴者にあっては、追っかけ再生の映像が表示されていることを知ることができ、早送り再生などの素早い対応が可能となり、追っかけ再生を延々と続けてしまうことによる様々な不都合を効果的に解消することができる。
【００４３】
また、ＣＰＵ１は、現在の放送内容を受信出力している状態での出力中断の割り込み指示に応答してそれ以降の受信内容を逐次録画する動作を開始させたのち、この割り込み解除の指示に応答して録画内容の再生動作を開始させた際に、追っかけ再生アイコンＲＮを案内表示するようにしたから、出力中断に伴って非常用として録画された追っかけ再生の映像であることを知らせることができる。
【００４４】
また、追っかけ再生の動作中に現在の録画位置と再生位置とを比較して再生位置が録画位置に追いついた際に、追っかけ再生アイコンＲＮの表示を消去するようにしたから、現在放送中のリアルタイム映像に追いついた状態を知らせることができる。この場合、再生位置が録画位置に追いついたと判別された際に、録画動作を停止すると共に、録画内容を再生出力する状態から現在放送中の受信映像を出力する状態に切り替えるようにしたから、無意味な録画を防ぐことができ、無駄な電力消費を抑えることが可能となるほか、現在放送中の映像出力にスムーズに移行することができる。
【００４５】
一方、ＣＰＵ１は、追っかけ再生の動作中に現在の再生映像と録画動作中の受信映像（リアルタイム映像）との時間差を求めて時間差バーＴＢによって案内表示するようにしたから、追っかけ再生の映像と現在放送中のリアルタイム映像との時間的な遅れを知ることができ、リアルタイム映像に追いつくには、どの位の時間を要するか、どの位のスピードで早送りすればよいかを知ることができる。この場合、録画位置と再生位置との位置差から時間差を求めて案内表示するようにしたから、位置管理から容易に時間差を得ることができる。
【００４６】
また、一時録画メモリ４Ａにその容量分の放送内容を順次書き込んだのち、一時録画メモリ４Ａの内容を順次更新しながら当該容量分の最新の放送内容を一時録画メモリ４Ａに記録保持させるようにしたから、１番組の全てを録画する必要はなく、エンドレス形式での録画が可能となるため、この一時録画メモリ４Ａは小容量で足る。また、現在の追っかけ再生映像と録画動作中の受信映像との時間差が６０秒以下であることを条件に、時間差バーＴＢを案内表示するようにしたから、この案内表示によって追っかけ再生映像と現在放送中のリアルタイム映像とが時間的に近いことを知ることができ、必要に応じて早送り再生を指示したり、リアルタイム映像へのジャンプを指示することができる。
【００４７】
なお、上述した実施例においては、追っかけ再生アイコンＲＮとしてランニングイメージのアイコンをアニメーション化した場合を例示したが、これに限らず、追っかけ再生映像が表示されていることを案内できればよく、追っかけ再生アイコンＲＮの形状などは、任意である。また、時間差バーＴＢは、スケール形式を例示したが、円グラフ形式であってもよく、その形状などは任意である。
【００４８】
また、上述した実施例においては、早送りキーによってノーマルスピードからハイスピードに切り替え可能としたが、割り込みが発生してからそれが解除されるまでの割り込み時間に応じてノーマル速度での再生と早送り再生との自動切り替えを行うようにしてもよい。例えば、割り込み時間が一定基準以下であれば、ノーマル速度での再生を開始させ、一定基準を超えていれば、早送り再生を開始させるようにしてもよい。また、割り込み時間のが長くなればなるほど、1.２倍、1.3倍のように早送り速度を段階的に増大させるようにしてもよい。
その他、テレビ機能付き携帯電話装置に限らず、例えば、テレビ機能付きＰＤＡ、電子カメラ、電子腕時計、音楽再生機などの携帯端末装置であっても同様に適用可能であるほか、もちろん、単体のテレビ受信機であってもよい。
【００４９】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、現在放送中の受信内容の録画動作中に録画内容の再生が指示された際に、この録画動作を継続しながら当該録画内容を再生出力する追っかけ再生機能と、この追っかけ再生の動作中に追っかけ再生の映像を表示していることを案内表示する機能と実現させるためのプログラムを記録したコンピュータが読み取り可能な記録媒体を提供するようにしてもよい。
【００５０】
また、コンピュータが読み取り可能なプログラムコードを有する記録媒体であって、現在放送中の受信内容の録画動作中に録画内容の再生が指示された際に、この録画動作を継続しながら当該録画内容を再生出力する追っかけ再生機能と、この追っかけ再生の動作中に、現在の再生映像と録画動作中の受信映像との時間差を求めて案内表示する機能とを実現させるためのプログラムを記録したコンピュータが読み取り可能な記録媒体を提供するようにしてもよい。
【図面の簡単な説明】
【００５１】
【図１】携帯端末装置として適用した携帯電話装置の基本的な構成要素を示したブロック図。
【図２】折り畳み式の装置本体を開いた状態において、メイン表示部９にテレビ映像が表示されたテレビ画面の表示例を示した図。
【図３】追っかけ再生を説明するための図。
【図４】追っかけ再生用として使用される一時録画メモリ４Ａを説明するための図。
【図５】追っかけ再生動作中のテレビ画面（再生画面）を示した図。
【図６】テレビ受信部１１の起動に伴って実行開始されるテレビ処理を示したフローチャート。
【図７】図６に続く、フローチャート。
【符号の説明】
【００５２】
１  ＣＰＵ
２  記憶部
３  記録メディア
４  メモリ
４Ａ  一時録画メモリ
５  電話通信部
９  メイン表示部
１１  テレビ受信部
１３  内蔵スピーカ
１４  イヤホーン
１５  キー操作部
ＲＮ  追っかけ再生アイコン
ＴＢ  時間差バー
【図１】
0004679289.tif 000002
【図２】
0004679289.tif 000003
【図３】
0004679289.tif 000004
【図４】
0004679289.tif 000005
【図５】
0004679289.tif 000006
【図６】
0004679289.tif 000007
【図７】
0004679289.tif 000008